(57)【要約】【課題】  プリンタ複合機単体で画像データの各種処理作業を実施できる新規なプリンタ複合機、及び画像データ統合処理システム、処理プログラム並びに処理方法の提供。【解決手段】  デジタル画像のデータ群ごとに識別符号を付して保存すると共に、その画像データ群ごとに識別符号付きのサムネイルカードＣを順次作成し、その中から任意に選択されたカードＣの識別符号を判別して管理された画像データを読み出してサムネイル画像として一覧表示し、その一覧のなかから任意に選択されたサムネイル画像と対応する画像データを読み出して印刷を実行する。これによって、ＰＣ等の情報処理端末を用いずにプリンタ複合機１００単体で画像データの記憶・再生・管理・編集・印刷等の各種処理作業が実施できる。【選択図】        図１
2004320743.tif 000002
【特許請求の範囲】
【請求項１】
アナログ画像を読み込むアナログ画像読み込み部と、前記アナログ画像読み込み部で読み込んだ前記アナログ画像をデジタル画像に変換するデジタル画像変換部と、変換された前記デジタル画像を取り込むデジタル画像取り込み部と、を有するアナログ画像入力手段と、
デジタル画像データを入力するデジタル画像入力手段と、
前記アナログ画像入力手段及び前記デジタル画像入力手段で入力されたデジタル画像データ群ごとに識別符号を付す識別符号付与手段と、
当該識別符号付与手段で前記識別符号が付与されたデジタル画像データ群を保存するデータ保存手段と、
前記識別符号付与手段で前記識別符号が付与されたデジタル画像データ群の各デジタル画像データから前記アナログ画像入力手段で入力可能な且つ一覧表示した画像表示媒体を作成する画像表示媒体作成手段と、
当該画像表示媒体作成手段で作成された複数の画像表示媒体のなかから特定の画像表示媒体の識別符号に基づいて当該識別符号と対応するデジタル画像データ群を前記データ保存手段から検索する画像データ検索手段と、
当該画像データ検索手段での検索により対象となったデジタル画像データ群の各デジタル画像データに対応する画像を表示部に一覧表示する画像表示手段と、
当該画像表示手段で表示された画像一覧のなかの特定の画像に対応するデジタル画像データを印刷して出力する印刷手段と、を有することを特徴とするプリンタ複合機。
【請求項２】
請求項１に記載のプリンタ複合機において、
前記アナログ画像入力手段で入力されたアナログ画像のデジタル画像データを前記画像表示媒体の特定の画像と関連付けて保存するデータ関連付け手段をさらに備えたことを特徴とするプリンタ複合機。
【請求項３】
請求項１又は２に記載のプリンタ複合機において、
前記画像表示媒体の複数の画像情報を所定のレイアウトテンプレートに従ってレイアウトするレイアウト手段をさらに備えたことを特徴とするプリンタ複合機。
【請求項４】
請求項１〜３のいずれかに記載のプリンタ複合機において、
前記画像表示媒体は、印刷用紙上に前記デジタル画像データ群の各デジタル画像データに対応する縮小画像を配置したものであることを特徴とするプリンタ複合機。
【請求項５】
請求項１〜４のいずれかに記載のプリンタ複合機において、
前記データ保存手段は、当該プリンタ複合機が他のプリンタ複合機とネットワークを介して接続されているときは、当該他のプリンタ複合機のデータ保存手段も入力したデジタル画像データの保存対象とすることを特徴とするプリンタ複合機。
【請求項６】
請求項１〜５のいずれかに記載のプリンタ複合機において、
前記画像データ検索手段は、当該プリンタ複合機が他のプリンタ複合機とネットワークを介して接続されているときは、当該他のプリンタ複合機のデータ保存手段も検索対象とすることを特徴とするプリンタ複合機。
【請求項７】
請求項１〜６のいずれかに記載のプリンタ複合機において、
前記アナログ画像入力手段と、デジタル画像入力手段と、識別符号付与手段と、データ保存手段と、画像表示媒体作成手段と、画像データ検索手段と、画像表示手段と、印刷手段とが、１つの筐体内に収容されていることを特徴とするプリンタ複合機。
【請求項８】
アナログ画像を読み込むアナログ画像読み込み部と、前記アナログ画像読み込み部で読み込んだ前記アナログ画像をデジタル画像に変換するデジタル画像変換部と、変換された前記デジタル画像を取り込むデジタル画像取り込み部と、を有するアナログ画像入力手段と、
デジタル画像データを入力するデジタル画像入力手段と、
前記アナログ画像入力手段及び前記デジタル画像入力手段で入力されたデジタル画像データ群ごとに識別符号を付す識別符号付与手段と、
当該識別符号付与手段で前記識別符号が付与されたデジタル画像データ群を保存するデータ保存手段と、
前記識別符号付与手段で前記識別符号が付与されたデジタル画像データ群の各デジタル画像データから前記アナログ画像入力手段で入力可能な且つ一覧表示した画像表示媒体を作成する画像表示媒体作成手段と、
当該画像表示媒体作成手段で作成された複数の画像表示媒体のなかから特定の画像表示媒体の識別符号に基づいて当該識別符号と対応するデジタル画像データ群を前記データ保存手段から検索する画像データ検索手段と、
当該画像データ検索手段での検索により対象となったデジタル画像データ群の各デジタル画像データに対応する画像を表示部に一覧表示する画像表示手段と、
当該画像表示手段で表示された画像一覧のなかの特定の画像に対応するデジタル画像データを印刷して出力する印刷手段と、を有することを特徴とする画像データ統合処理システム。
【請求項９】
アナログ画像データ入力デバイスと、デジタル画像データ入力デバイスと、画像表示デバイスと、コントロールデバイスと、印刷デバイスと、サーバとをネットワークを介して相互に情報通信可能に接続した画像データ統合処理システムであって、
前記アナログ画像データ入力デバイスは、
アナログ画像を読み込むアナログ画像読み込み部と、前記アナログ画像読み込み部で読み込んだ前記アナログ画像をデジタル画像に変換するデジタル画像変換部と、変換された前記デジタル画像を取り込むデジタル画像取り込み部と、を有するアナログ画像入力手段を有し、
前記デジタル画像データ入力デバイスは、
デジタル画像データを入力するデジタル画像入力手段を有し、
前記サーバは、
前記アナログ画像入力手段及び前記デジタル画像入力手段で入力されたデジタル画像データ群ごとに識別符号を付す識別符号付与手段と、当該識別符号付与手段で前記識別符号が付与されたデジタル画像データ群を保存するデータ保存手段と、前記識別符号付与手段で前記識別符号が付与されたデジタル画像データ群の各デジタル画像データから前記アナログ画像入力手段で入力可能な且つ一覧表示した画像表示媒体を作成する画像表示媒体作成手段と、当該画像表示媒体作成手段で作成された複数の画像表示媒体のなかから特定の画像表示媒体の識別符号に基づいて当該識別符号と対応するデジタル画像データ群を前記データ保存手段から検索する画像データ検索手段とを有し、
前記画像表示デバイスは、
前記サーバの画像データ検索手段での検索により対象となったデジタル画像データ群の各デジタル画像データに対応する画像を表示部に一覧表示する画像表示手段を有し、
前記印刷デバイスは、
前記画像表示デバイスの画像表示手段で表示された画像一覧のなかの特定の画像に対応するデジタル画像データを印刷して出力する印刷手段を有することを特徴とする画像データ統合処理システム。
【請求項１０】
請求項９に記載の画像データ統合処理システムであって、
前記アナログ画像データ入力デバイスと、デジタル画像データ入力デバイスと、画像表示デバイスと、印刷デバイスと、サーバは、システムを構築するデバイス並びにサーバを特定する利用許可ＩＤを記憶する利用許可ＩＤ記憶手段を有すると共に、
前記コントロールデバイスは、前記利用許可ＩＤを発行する利用許可ＩＤ発行手段を有することを特徴とする画像データ統合処理システム。
【請求項１１】
コンピュータを、
アナログ画像を読み込むアナログ画像読み込み部と、前記アナログ画像読み込み部で読み込んだ前記アナログ画像をデジタル画像に変換するデジタル画像変換部と、変換された前記デジタル画像を取り込むデジタル画像取り込み部と、を有するアナログ画像入力手段と、
デジタル画像データを入力するデジタル画像入力手段と、
前記アナログ画像入力手段及び前記デジタル画像入力手段で入力されたデジタル画像データ群ごとに識別符号を付す識別符号付与手段と、
当該識別符号付与手段で前記識別符号が付与されたデジタル画像データ群を保存するデータ保存手段と、
前記識別符号付与手段で前記識別符号が付与されたデジタル画像データ群の各デジタル画像データから前記アナログ画像入力手段で入力可能な且つ一覧表示した画像表示媒体を作成する画像表示媒体作成手段と、
当該画像表示媒体作成手段で作成された複数の画像表示媒体のなかから特定の画像表示媒体の識別符号に基づいて当該識別符号と対応するデジタル画像データ群を前記データ保存手段から検索する画像データ検索手段と、
当該画像データ検索手段での検索により対象となったデジタル画像データ群の各デジタル画像データに対応する画像を表示部に一覧表示する画像表示手段と、
当該画像表示手段で表示された画像一覧のなかの特定の画像に対応するデジタル画像データを印刷して出力する印刷手段と、して機能させることを特徴とする画像データ統合処理プログラム。
【請求項１２】
請求項１１に記載の画像データ統合処理プログラムにおいて、
前記コンピュータが、
アナログ画像をデジタル画像データに変換して入力するアナログ画像入力手段と、デジタル画像データを入力するデジタル画像入力手段と、前記アナログ画像入力手段及び前記デジタル画像入力手段で入力されたデジタル画像データに対応する画像を表示する画像表示手段と、当該画像表示手段で表示された画像一覧のなかの特定の画像に対応するデジタル画像データを印刷して出力する印刷手段とを備えたプリンタ複合機のコンピュータであることを特徴とする画像データ統合処理プログラム。
【請求項１３】
アナログ画像をデジタル画像データに変換して入力するアナログ画像入力ステップと、
デジタル画像データを入力するデジタル画像入力ステップと、
前記アナログ画像入力ステップ及び前記デジタル画像入力ステップで入力されたデジタル画像データ群ごとに識別符号を付す識別符号付与ステップと、
当該識別符号付与手段で前記識別符号が付与されたデジタル画像データ群を保存するデータ保存ステップと、
前記識別符号付与ステップで前記識別符号が付与されたデジタル画像データ群の各デジタル画像データから前記アナログ画像入力ステップで入力可能なアナログ画像を生成して一覧表示した画像表示媒体を作成する画像表示媒体作成ステップと、
当該画像表示媒体作成ステップで作成された複数の画像表示媒体のなかから特定の画像表示媒体の識別符号に基づいて当該識別符号と対応するデジタル画像データ群を前記データ保存ステップから検索する画像データ検索ステップと、
当該画像データ検索ステップでの検索により対象となったデジタル画像データ群の各デジタル画像データに対応する画像を表示部に一覧表示する画像表示ステップと、
当該画像表示ステップで表示された画像一覧のなかの特定の画像に対応するデジタル画像データを印刷して出力する印刷処理ステップと、を有することを特徴とする画像データ統合処理方法。
【請求項１４】
請求項１３に記載の画像データ統合処理方法において、
前記アナログ画像入力ステップで入力されたアナログ画像のデジタル画像データを前記画像表示媒体の特定の画像と関連付けて保存するデータ関連付けステップをさらに備えたことを特徴とする画像データ統合処理方法。
【請求項１５】
請求項１３又は１４に記載の画像データ統合処理方法において、
前記画像表示媒体の複数の画像情報を所定のレイアウトテンプレートに従ってレイアウトするレイアウトステップをさらに備えたことを特徴とする画像データ統合処理方法。
【発明の詳細な説明】
【技術分野】
【０００１】
本発明は、スキャナ機能とプリンタ機能とコピー機能等を１つの筐体内にコンパクトに一体化した、いわゆる家庭用プリンタ複合機（ＳＰＣサーバともいう）に係り、特に、このプリンタ複合機の各機能を用いて実施する画像データ統合処理システム及び処理プログラム並びに処理方法に関するものである。
【背景技術】
【０００２】
係るプリンタ複合機は、ＤＰＴ（ｄｉｓｋ−ｔｏｐ  ｐｕｂｌｉｓｈｉｎｇ）等を行うに際して必要最低限の機能をコンパクトな筐体内に兼ね備え、かつ、コストパフォーマンスにも優れていることから、個人ユーザやＳＯＨＯ利用者等を中心に需要が高まってきている。
一方、最近ではデジタルカメラが、その使い勝手の良さや高画質化、低価格化等に伴って人気が高まってきており、販売台数でも従来のフィルム式のカメラを上回るようになってきている。
【０００３】
そのため、従来ではＤＥＰの専門業者等に依頼する他なかった写真のプリントアウトがＰＣ（パソコン）や前記のようなプリンタ複合機を用いることで一般の家庭でも簡単にできるようになってきており、今後、デジタルカメラの普及と共に、このプリンタ複合機の普及もますます進むものと考えられている。
【特許文献１】特開平８−４４８３５号公報
【発明の開示】
【発明が解決しようとする課題】
【０００４】
ところで、このようなプリンタ複合機を用いてデジタルカメラで撮った写真をプリントアウト（印刷）するためには、その画像データを処理するためのＰＣやワークステーション等の情報処理装置（端末）が必要であった。
従って、前記のようにデジタルカメラのユーザが家庭でプリントアウトするためには、少なくとも前記のようなプリンタ複合機の他に、高価なＰＣ等を用意しなければならないといった問題点があった。
【０００５】
また、このようにプリンタ複合機とＰＣを用意できた場合でも、その画像データの編集や保存・管理等の各種処理作業を実施するためには、画像処理用のアプリケーションをＰＣ等にインストールしたり、そのアプリケーションを用いて必要な画像処理を行うためにはある程度ＰＣ等の知識や慣れが必要であり、誰もが簡単に所望の印刷ができるまでには至っていないのが現状である。
【０００６】
そこで、本発明はこのような課題を有効に解決するために案出されたものであり、その目的は、ＰＣ等の情報処理端末を用いずにプリンタ複合機単体で画像データの記憶・再生・管理・編集・印刷等の各種処理作業を実施することができる新規なプリンタ複合機及び画像データ統合処理システム、処理プログラム並びに処理方法を提供するものである。
【課題を解決するための手段】
【０００７】
〔発明１〕前記課題を解決するために発明１のプリンタ複合機は、
アナログ画像を読み込むアナログ画像読み込み部と、前記アナログ画像読み込み部で読み込んだ前記アナログ画像をデジタル画像に変換するデジタル画像変換部と、変換された前記デジタル画像を取り込むデジタル画像取り込み部と、を有するアナログ画像入力手段と、デジタル画像データを入力するデジタル画像入力手段と、前記アナログ画像入力手段及び前記デジタル画像入力手段で入力されたデジタル画像データ群ごとに識別符号を付す識別符号付与手段と、当該識別符号付与手段で前記識別符号が付与されたデジタル画像データ群を保存するデータ保存手段と、前記識別符号付与手段で前記識別符号が付与されたデジタル画像データ群の各デジタル画像データから前記アナログ画像入力手段で入力可能な且つ一覧表示した画像表示媒体を作成する画像表示媒体作成手段と、当該画像表示媒体作成手段で作成された複数の画像表示媒体のなかから特定の画像表示媒体の識別符号に基づいて当該識別符号と対応するデジタル画像データ群を前記データ保存手段から検索する画像データ検索手段と、当該画像データ検索手段での検索により対象となったデジタル画像データ群の各デジタル画像データに対応する画像を表示部に一覧表示する画像表示手段と、当該画像表示手段で表示された画像一覧のなかの特定の画像に対応するデジタル画像データを印刷して出力する印刷手段と、を有することを特徴とするものである。
【０００８】
すなわち、先ず、アナログ画像を読み込むアナログ画像読み込み部と、前記アナログ画像読み込み部で読み込んだ前記アナログ画像をデジタル画像に変換するデジタル画像変換部と、変換された前記デジタル画像を取り込むデジタル画像取り込み部とを有する、スキャナ等のデジタル画像入力手段によってデジタルカメラのＩＣメモリーカード等の記憶媒体に記憶されたデジタル画像データ群を取り込んだ後、識別符号付与手段によってそのデジタル画像データ群ごとに識別符号を付してそのデジタル画像データ群をデータ保存部に保存すると共に、画像表示媒体作成手段によって、前記アナログ画像入力手段で入力可能なアナログ画像を一覧表示した画像表示媒体（サムネイルカード）を作成する。
【０００９】
これによって、プリンタ複合機を、デジタルカメラ等で撮った画像データのストレージとして機能させることができると共に、その画像データを一覧表示したサムネイルカードを作成することができるため、ユーザは、このサムネイルカードをみるだけで、そのプリンタ複合機のストレージに保存された画像の内容を容易に判別・認識することができる。
次に、ユーザはこれらサムネイルカードのなかからお気に入りのサムネイル画像、つまり、そのプリンタ複合機の印刷手段を用いてプリントアウトを望むサムネイル画像が載っているサムネイルカードを選択し、これをそのプリンタ複合機のアナログ画像入力手段に読み取らせる。
【００１０】
すると、画像データ検索手段がそのサムネイルカードの識別符号を判別してその識別符号と対応するデジタル画像データ群を前記データ保存手段から検索した後、画像表示手段がそのデジタル画像データ群の各デジタル画像データに対応する画像を液晶モニタ等にサムネイル画像として一覧表示する。
そして、ユーザはこの画像表示手段に表示されたサムネイル画像の一覧表示をみて、その中から所望のサムネイル画像を選択すると、そのプリンタ複合機の印刷手段が選択されたサムネイル画像と対応するデジタル画像データに基づいてその画像を印刷用紙上に印刷処理して印刷物として出力することになる。
【００１１】
これによって、デジタルカメラ等のユーザは、ＰＣ等を用意しなくとも本発明のプリンタ複合機だけで保存された任意の画像データを容易に検索し、その画像データから所望の写真のみを簡単にプリントアウトして利用することができる。
なお、本発明でいうデジタル画像データ群とは、例えばデジタルカメラで撮影された個々の画像単位のデジタルデータが複数集まったものを指し、デジタルカメラで撮影された画像の数が１０個であった場合、１０個のデジタルデータをひとまとまりとしてデジタル画像データ群と呼ぶものとする（以下のプリンタ複合機、画像データ統合処理システム、画像データ統合処理プログラム、画像データ統合処理方法及び各実施の形態において同じである）。また、何らかの条件が共通するものを一塊としたものをデジタル画像データ群としており、このデジタル画像データ群に格納されたデジタルデータは１つ以上の塊をなす。
【００１２】
〔発明２〕また、発明２のプリンタ複合機は、
発明１に記載のプリンタ複合機において、前記アナログ画像入力手段で入力されたアナログ画像のデジタル画像データを前記画像表示媒体の特定の画像と関連付けて保存するデータ関連付け手段をさらに備えたことを特徴とするものである。
これによって、例えば、カタログやパンフレット等のアナログ画像をアナログ画像入力手段で入力してデジタル画像データとして取り込むと共に、そのアナログ画像を、既に保存済みの任意のデジタル画像データと関連付けしてそのデータ保存部に保存しておくことができるため、そのアナログ画像と関連付けられた前記画像表示媒体の特定の画像を読み出すことでこのアナログ画像も同時に読み出すことができる。すなわち、例えば、ある観光地の美術館に立ち寄った際に、その美術館が写っている写真（デジタル画像データ）と、その美術館の入場券等のアナログ画像を関連付けて保存することが可能となるため、その美術館が写っている写真（サムネイル画像）を選択すると、その美術館の入場券の画像も同時にみることが可能となる。これによって、関連するデータ同士が関連されて保存されるため、データの有効活用やデータ検索を容易に行うことができる。
【００１３】
〔発明３〕また、発明３のプリンタ複合機は、
発明１又は２に記載のプリンタ複合機において、前記画像表示媒体の複数の画像を所定のレイアウトテンプレートに従ってレイアウトするレイアウト手段をさらに備えたことを特徴とするものである。
このような構成によれば、画像表示媒体の複数の画像と、レイアウトテンプレートを選択するだけでその画像表示媒体の複数の画像がそのレイアウトテンプレートに従って自動的にレイアウトされた状態で一枚の印刷用紙上に印刷されることになる。これによって、保存された画像のなかから所望の画像を所望のレイアウトに従ってレイアウトした印刷物を確実に得ることができる。
【００１４】
〔発明４〕また、発明４のプリンタ複合機は、
発明１〜３のいずれかに記載のプリンタ複合機において、前記画像表示媒体は、印刷用紙上に前記デジタル画像データ群の各デジタル画像データに対応する縮小画像を配置したものであることを特徴とするものである。
これによって、画像表示媒体の作成及び取り扱い、例えば、画像の印刷や識別符号の付与、読み取り、保存等を容易に行うことができる。
【００１５】
〔発明５〕また、発明５のプリンタ複合機は、
発明１〜４のいずれかに記載のプリンタ複合機において、前記データ保存手段は、当該プリンタ複合機が他のプリンタ複合機とネットワークを介して接続されているときは、当該他のプリンタ複合機のデータ保存手段も前記デジタル画像データの保存対象とすることを特徴とするものである。
これによって、自己のデータ保存手段の保存容量（記憶容量）に限りがあった場合でも、他のプリンタ複合機のデータ保存手段も活用することができるため、大量のデータを保存して利用することが可能となる。
【００１６】
〔発明６〕また、発明６のプリンタ複合機は、
発明１〜５のいずれかに記載のプリンタ複合機において、前記画像データ検索手段は、当該プリンタ複合機が他のプリンタ複合機とネットワークを介して接続されているときは、当該他のプリンタ複合機の当該データ保存手段も検索対象とすることを特徴とするものである。
これによって、他のプリンタ複合機で独自に保存されたデータをも検索することができるため、当該他のプリンタ複合機で独自に保存されたデータを自己のプリンタ複合機で利用することが可能となり、データの利用範囲を大幅に広げることができる。
【００１７】
〔発明７〕また、発明７のプリンタ複合機は、
発明１〜６のいずれかに記載のプリンタ複合機において、前記アナログ画像入力手段と、デジタル画像入力手段と、識別符号付与手段と、データ保存手段と、画像表示媒体作成手段と、画像データ検索手段と、画像表示手段と、印刷手段とが、１つの筐体内に収容されていることを特徴とするものである。
これによって、プリンタ複合機の大きさがコンパクトになるため、保管や運搬が容易となると共に、設置スペースも狭くても可能であるため、利用勝手が大幅に向上する。また、各手段を１つの筐体内に纏めて収容することにより、各手段を備えたデバイスを別個に揃えるよりも大幅にコストを低く抑えることが可能となる。
【００１８】
〔発明８〕また、発明８の画像データ統合処理システムは、
アナログ画像を読み込むアナログ画像読み込み部と、前記アナログ画像読み込み部で読み込んだ前記アナログ画像をデジタル画像に変換するデジタル画像変換部と、変換された前記デジタル画像を取り込むデジタル画像取り込み部と、を有するアナログ画像入力手段と、デジタル画像データを入力するデジタル画像入力手段と、前記アナログ画像入力手段及び前記デジタル画像入力手段で入力されたデジタル画像データ群ごとに識別符号を付す識別符号付与手段と、当該識別符号付与手段で前記識別符号が付与されたデジタル画像データ群を保存するデータ保存手段と、前記識別符号付与手段で前記識別符号が付与されたデジタル画像データ群の各デジタル画像データから前記アナログ画像入力手段で入力可能な且つ一覧表示した画像表示媒体を作成する画像表示媒体作成手段と、当該画像表示媒体作成手段で作成された複数の画像表示媒体のなかから特定の画像表示媒体の識別符号に基づいて当該識別符号と対応するデジタル画像データ群を前記データ保存手段から検索する画像データ検索手段と、当該画像データ検索手段での検索により対象となったデジタル画像データ群の各デジタル画像データに対応する画像を表示部に一覧表示する画像表示手段と、当該画像表示手段で表示された画像一覧のなかの特定の画像に対応するデジタル画像データを印刷して出力する印刷手段と、を有することを特徴とするものである。
【００１９】
これによって、発明１と同様に、本発明の画像データ統合処理システムをデジタルカメラ等で撮った画像データのストレージとして機能させることができると共に、その画像データを一覧表示したサムネイルカードを作成することができるため、ユーザは、このサムネイルカードをみるだけで、そのプリンタ複合機のストレージに保存された画像の内容を容易に判別・認識することができる。
また、デジタルカメラ等のユーザは、サムネイルカードを用いることによって任意の画像データを容易に検索し、その画像データから所望の写真のみを簡単にプリントアウトして入手することができる。
【００２０】
〔発明９〕また、発明９の画像データ統合処理システムは、
発明８に記載の画像データ統合処理システムにおいて、前記アナログ画像入力手段で入力されたアナログ画像のデジタル画像データを前記画像表示媒体の特定の画像と関連付けて保存するデータ関連付け手段をさらに備えたことを特徴とするものである。
これによって、発明２と同様に、関連するデータ同士が関連されて保存されるため、データの有効活用やデータ検索を容易に行うことができる。
【００２１】
〔発明１０〕また、発明１０の画像データ統合処理システムは、
発明８又は９に記載の画像データ統合処理システムにおいて、前記画像表示媒体の複数の画像情報を所定のレイアウトテンプレートに従ってレイアウトするレイアウト手段をさらに備えたことを特徴とするものである。
これによって、発明３と同様に、保存された画像のなかから所望の画像を所望のレイアウトに従ってレイアウトした印刷物を確実に得ることができる。
【００２２】
〔発明１１〕また、発明１１の画像データ統合処理システムは、
発明８〜１０のいずれかに記載の画像データ統合処理システムにおいて、前記画像表示媒体は、印刷用紙上に前記デジタル画像データ群の各デジタル画像データに対応する縮小画像を配置したものであることを特徴とするものである。
これによって、発明４と同様に画像表示媒体の作成及び取り扱い、例えば、画像の印刷や識別符号の付与、読み取り、保存等を容易に行うことができる。
【００２３】
〔発明１２〕また、発明１２の画像データ統合処理システムは、
発明８〜１１のいずれかに記載の画像データ統合処理システムにおいて、前記データ保存手段を２つ以上備え、当該各データ保存手段は、当該他のデータ保存手段も入力したデジタル画像データの保存対象とすることを特徴とするものである。
これによって、発明５と同様に、自己のデータ保存手段の保存容量（記憶容量）に限りがあった場合でも、他のデータ保存手段も活用することができるため、大量のデータを保存して利用することが可能となる。
【００２４】
〔発明１３〕また、発明１３の画像データ統合処理システムは、
発明８〜１２のいずれかに記載の画像データ統合処理システムにおいて、前記画像データ検索手段は、前記画像データ統合処理システムが他の画像データ統合処理システムとネットワークを介して接続されているときは、当該画像データ統合処理システムのデータ保存手段も検索対象とすることを特徴とするものである。
これによって、発明６と同様に、他の画像データ統合処理システムで独自に保存されたデータをも検索することができるため、当該他の画像データ統合処理システムで独自に保存されたデータを自己の画像データ統合処理システムで利用することが可能となり、データの利用範囲を大幅に広げることができる。
【００２５】
〔発明１４〕また、発明１４の画像データ統合処理システムは、
発明８〜１３のいずれかに記載の画像データ統合処理システムにおいて、前記アナログ画像入力手段と、デジタル画像入力手段と、識別符号付与手段と、データ保存手段と、画像表示媒体作成手段と、画像データ検索手段と、画像表示手段と、印刷手段とが、１つの筐体内に収容されていることを特徴とするものである。
これによって、発明７と同様に、画像データ統合処理システム全体の大きさがコンパクトになるため、保管や運搬が容易となると共に、設置スペースも狭くても可能であるため、利用勝手が大幅に向上する。また、各手段を１つの筐体内に纏めて収容することにより、各手段を備えたデバイスを別個に揃えるよりも大幅にコストを低く抑えることが可能となる。
【００２６】
〔発明１５〕また、発明１５の画像データ統合処理システムは、
アナログ画像データ入力デバイスと、デジタル画像データ入力デバイスと、画像表示デバイスと、コントロールデバイスと、印刷デバイスと、サーバとをネットワークを介して相互に情報通信可能に接続した画像データ統合処理システムであって、
前記アナログ画像データ入力デバイスは、アナログ画像を読み込むアナログ画像読み込み部と、前記アナログ画像読み込み部で読み込んだ前記アナログ画像をデジタル画像に変換するデジタル画像変換部と、変換された前記デジタル画像を取り込むデジタル画像取り込み部と、を有するアナログ画像入力手段を有し、
前記デジタル画像データ入力デバイスは、デジタル画像データを入力するデジタル画像入力手段を有し、
前記サーバは、前記アナログ画像入力手段及び前記デジタル画像入力手段で入力されたデジタル画像データ群ごとに識別符号を付す識別符号付与手段と、当該識別符号付与手段で前記識別符号が付与されたデジタル画像データ群を保存するデータ保存手段と、前記識別符号付与手段で前記識別符号が付与されたデジタル画像データ群の各デジタル画像データから前記アナログ画像入力手段で入力可能な且つ一覧表示した画像表示媒体を作成する画像表示媒体作成手段と、当該画像表示媒体作成手段で作成された複数の画像表示媒体のなかから特定の画像表示媒体の識別符号に基づいて当該識別符号と対応するデジタル画像データ群を前記データ保存手段から検索する画像データ検索手段とを有し、
前記画像表示デバイスは、前記サーバの画像データ検索手段での検索により対象となったデジタル画像データ群の各デジタル画像データに対応する画像を表示部に一覧表示する画像表示手段を有し、
前記印刷デバイスは、前記画像表示デバイスの画像表示手段で表示された画像一覧のなかの特定の画像に対応するデジタル画像データを印刷して出力する印刷手段を有することを特徴とするものである。
【００２７】
これによって、発明１と同様に、本発明の画像データ統合処理システムをデジタルカメラ等で撮った画像データのストレージとして機能させることができると共に、その画像データを一覧表示したサムネイルカードを作成することができるため、ユーザは、このサムネイルカードをみるだけで、そのプリンタ複合機のストレージに保存された画像の内容を容易に判別・認識することができる。
【００２８】
また、デジタルカメラ等のユーザは、サムネイルカードを用いることによって任意の画像データを容易に検索し、その画像データから所望の写真のみを簡単にプリントアウトして入手することができる。
さらに、各デバイスの殆どは、汎用のデバイスをそのまま利用することができるため、本発明の画像データ統合処理システムを容易に構築することができる。
【００２９】
〔発明１６〕また、発明１６の画像データ統合処理システムは、
発明１５に記載の画像データ統合処理システムであって、前記アナログ画像データ入力デバイスと、デジタル画像データ入力デバイスと、画像表示デバイスと、印刷デバイスと、サーバは、システムを構築するデバイス並びにサーバを特定する利用許可ＩＤを記憶する利用許可ＩＤ記憶手段を有すると共に、前記コントロールデバイスは、前記利用許可ＩＤを発行する利用許可ＩＤ発行手段を有することを特徴とするものである。
【００３０】
これによって、１つのネットワークに多数のデバイスやサーバが接続されている形態であっても、システムを構築するデバイスやサーバを特定して動作させることができる。これによって、新たにデバイスやサーバを用意したり、ネットワーク構成を組み立て直したりといった煩わしい作業を要することなく、既存のネットワークシステムを活用して本発明の画像データ統合処理システムを構築することが可能となる。
【００３１】
〔発明１７〕また、発明１７の画像データ統合処理プログラムは、
コンピュータを、アナログ画像を読み込むアナログ画像読み込み部と、前記アナログ画像読み込み部で読み込んだ前記アナログ画像をデジタル画像に変換するデジタル画像変換部と、変換された前記デジタル画像を取り込むデジタル画像取り込み部と、を有するアナログ画像入力手段と、デジタル画像データを入力するデジタル画像入力手段と、前記アナログ画像入力手段及び前記デジタル画像入力手段で入力されたデジタル画像データ群ごとに識別符号を付す識別符号付与手段と、当該識別符号付与手段で前記識別符号が付与されたデジタル画像データ群を保存するデータ保存手段と、前記識別符号付与手段で前記識別符号が付与されたデジタル画像データ群の各デジタル画像データから前記アナログ画像入力手段で入力可能な且つ一覧表示した画像表示媒体を作成する画像表示媒体作成手段と、当該画像表示媒体作成手段で作成された複数の画像表示媒体のなかから特定の画像表示媒体の識別符号に基づいて当該識別符号と対応するデジタル画像データ群を前記データ保存手段から検索する画像データ検索手段と、当該画像データ検索手段での検索により対象となったデジタル画像データ群の各デジタル画像データに対応する画像を表示部に一覧表示する画像表示手段と、当該画像表示手段で表示された画像一覧のなかの特定の画像に対応するデジタル画像データを印刷して出力する印刷手段と、して機能させることを特徴とするものである。
【００３２】
これによって、発明１と同様に、本発明の画像データ統合処理システムをデジタルカメラ等で撮った画像データのストレージとして機能させることができると共に、その画像データを一覧表示したサムネイルカードを作成することができるため、ユーザは、このサムネイルカードをみるだけで、そのプリンタ複合機のストレージに保存された画像の内容を容易に判別・認識することができる。また、デジタルカメラ等のユーザは、サムネイルカードを用いることによって任意の画像データを容易に検索し、その画像データから所望の写真のみを簡単にプリントアウトして入手することができる。
【００３３】
さらに、既存の殆どのデバイスやサーバに備え付けのコンピュータシステムを利用してその機能を実現することができるため、別個新たに専用のハードウェアを製造して実現する場合に比べて容易、かつ優れた経済性を発揮することができる。また、プログラムの一部を書き換えるだけ、バージョンアップなどの機能改変・改良も極めて容易に行うことも可能となる。
【００３４】
〔発明１８〕また、発明１８の画像データ統合処理プログラムは、
発明１７に記載の画像データ統合処理プログラムにおいて、前記アナログ画像入力手段で入力されたアナログ画像のデジタル画像データを前記画像表示媒体の特定の画像と関連付けて保存するデータ関連付け手段をさらに備えたことを特徴とするものである。
これによって、発明２と同様に、関連するデータ同士が関連されて保存されるため、データの有効活用やデータ検索を容易に行うことができる。
また、発明１７と同様に、ソフトウェア上で実現できるため、別個新たに専用のハードウェアを製造して実現する場合に比べて容易、かつ優れた経済性を発揮することができる。また、プログラムの一部を書き換えるだけ、バージョンアップなどの機能改変・改良も極めて容易に行うことも可能となる。
【００３５】
〔発明１９〕また、発明１９の画像データ統合処理プログラムは、
発明１７又は１８に記載の画像データ統合処理プログラムにおいて、前記画像表示媒体の複数の画像情報を所定のレイアウトテンプレートに従ってレイアウトするレイアウト手段をさらに備えたことを特徴とするものである。
これによって、発明３と同様に、保存された画像のなかから所望の画像を所望のレイアウトに従ってレイアウトした印刷物を確実に得ることができる。
また、発明１７と同様に、ソフトウェア上で実現できるため、別個新たに専用のハードウェアを製造して実現する場合に比べて容易、かつ優れた経済性を発揮することができる。また、プログラムの一部を書き換えるだけ、バージョンアップなどの機能改変・改良も極めて容易に行うことも可能となる。
【００３６】
〔発明２０〕また、発明２０の画像データ統合処理プログラムは、
発明１７〜１９のいずれかに記載の画像データ統合処理プログラムにおいて、前記画像表示媒体は、印刷用紙上に前記デジタル画像データ群の各デジタル画像データに対応する縮小画像を配置したものであることを特徴とするものである。
これによって、発明４と同様に画像表示媒体の作成及び取り扱い、例えば、画像の印刷や識別符号の付与、読み取り、保存等を容易に行うことができる。
【００３７】
〔発明２１〕また、発明２１の画像データ統合処理プログラムは、
発明１７〜２０のいずれかに記載の画像データ統合処理プログラムにおいて、前記データ保存手段は、当該データ保存手段が他のデータ保存手段とネットワークを介して接続されているときは、当該他のデータ保存手段も入力したデジタル画像データの保存対象とすることを特徴とするものである。
【００３８】
これによって、発明５と同様に、自己のデータ保存手段の保存容量（記憶容量）に限りがあった場合でも、他のデータ保存手段も活用することができるため、大量のデータを保存して利用することが可能となる。
また、発明１７と同様に、ソフトウェア上で実現できるため、別個新たに専用のハードウェアを製造して実現する場合に比べて容易、かつ優れた経済性を発揮することができる。また、プログラムの一部を書き換えるだけ、バージョンアップなどの機能改変・改良も極めて容易に行うことも可能となる。
【００３９】
〔発明２２〕また、発明２２の画像データ統合処理プログラムは、
発明１７〜２１のいずれかに記載の画像データ統合処理プログラムにおいて、前記画像データ検索手段は、当該画像データ検索手段が他画像データ検索手段とネットワークを介して接続されているときは、当該他のデータ保存手段も検索対象とすることを特徴とするものである。
これによって、発明６と同様に、他のプリンタ複合機や画像データ統合処理システム等で独自に保存されたデータをも検索することができるため、当該他の画像データ統合処理システムやプリンタ複合機で独自に保存されたデータを自己のプリンタ複合機や画像データ統合処理システムで利用することが可能となり、データの利用範囲を大幅に広げることができる。
【００４０】
また、発明１７と同様に、ソフトウェア上で実現できるため、別個新たに専用のハードウェアを製造して実現する場合に比べて容易、かつ優れた経済性を発揮することができる。また、プログラムの一部を書き換えるだけ、バージョンアップなどの機能改変・改良も極めて容易に行うことも可能となる。
【００４１】
〔発明２３〕また、発明２３の画像データ統合処理プログラムは、
発明１７〜２２のいずれかに記載の画像データ統合処理プログラムにおいて、前記コンピュータが、アナログ画像をデジタル画像データに変換して入力するアナログ画像入力機構と、デジタル画像データを入力するデジタル画像入力手段と、前記アナログ画像入力手段及び前記デジタル画像入力手段で入力されたデジタル画像データに対応する画像を表示する画像表示手段と、当該画像表示手段で表示された画像一覧のなかの特定の画像に対応するデジタル画像データを印刷して出力する印刷手段とを備えたプリンタ複合機のコンピュータであることを特徴とするものである。
【００４２】
これによって、殆どのプリンタ複合機に内蔵されたコンピュータシステムをそのまま活用してソフトウェア上で実現できるため、別個新たに専用のハードウェアを製造して実現する場合に比べて容易、かつ優れた経済性を発揮することができる。また、プログラムの一部を書き換えるだけ、バージョンアップなどの機能改変・改良も極めて容易に行うことも可能となる。
【００４３】
〔発明２４〕また、発明２４の画像データ統合処理方法は、
アナログ画像をデジタル画像データに変換して入力するアナログ画像入力ステップと、デジタル画像データを入力するデジタル画像入力ステップと、前記アナログ画像入力ステップ及び前記デジタル画像入力ステップで入力されたデジタル画像データ群ごとに識別符号を付す識別符号付与ステップと、当該識別符号付与手段で前記識別符号が付与されたデジタル画像データ群を保存するデータ保存ステップと、前記識別符号付与ステップで前記識別符号が付与されたデジタル画像データ群の各デジタル画像データから前記アナログ画像入力ステップで入力可能な且つ一覧表示した画像表示媒体を作成する画像表示媒体作成ステップと、当該画像表示媒体作成ステップで作成された複数の画像表示媒体のなかから特定の画像表示媒体の識別符号に基づいて当該識別符号と対応するデジタル画像データ群を前記データ保存ステップから検索する画像データ検索ステップと、当該画像データ検索ステップでの検索により対象となったデジタル画像データ群の各デジタル画像データに対応する画像を表示部に一覧表示する画像表示ステップと、当該画像表示ステップで表示された画像一覧のなかの特定の画像に対応するデジタル画像データを印刷して出力する印刷処理ステップと、を有することを特徴とするものである。
【００４４】
これによって、発明１と同様に、本発明の画像データ統合処理システムをデジタルカメラ等で撮った画像データのストレージとして機能させることができると共に、その画像データを一覧表示したサムネイルカードを作成することができるため、ユーザは、このサムネイルカードをみるだけで、そのプリンタ複合機のストレージに保存された画像の内容を容易に判別・認識することができる。
【００４５】
また、デジタルカメラ等のユーザは、サムネイルカードを用いることによって任意の画像データを容易に検索し、その画像データから所望の写真のみを簡単にプリントアウトして入手することができる。
【００４６】
〔発明２５〕また、発明２５の画像データ統合処理方法は、
発明２３に記載の画像データ統合処理方法において、前記アナログ画像入力ステップで入力されたアナログ画像のデジタル画像データを前記画像表示媒体の特定の画像と関連付けて保存するデータ関連付けステップをさらに備えたことを特徴とするものである。
これによって、発明２と同様に、関連するデータ同士が関連されて保存されるため、データの有効活用やデータ検索を容易に行うことができる。
【００４７】
〔発明２６〕また、発明２６の画像データ統合処理方法は、
発明２４又は２５に記載の画像データ統合処理方法において、前記画像表示媒体の複数の画像情報を所定のレイアウトテンプレートに従ってレイアウトするレイアウトステップをさらに備えたことを特徴とするものである。
これによって、発明３と同様に、保存された画像のなかから所望の画像を所望のレイアウトに従ってレイアウトした印刷物を確実に得ることができる。
【００４８】
〔発明２７〕また、発明２７の画像データ統合処理方法は、
発明２４〜２６のいずれかに記載の画像データ統合処理方法において、前記画像表示媒体は、印刷用紙上に前記デジタル画像データ群の各デジタル画像データに対応する縮小画像を配置したものであることを特徴とするものである。
これによって、発明４と同様に画像表示媒体の作成及び取り扱い、例えば、画像の印刷や識別符号の付与、読み取り、保存等を容易に行うことができる。
【００４９】
〔発明２８〕また、発明２８の画像データ統合処理方法は、
発明２４〜２７のいずれかに記載の画像データ統合処理方法において、前記データ保存ステップは、当該プリンタ複合機が他のプリンタ複合機とネットワークを介して接続されているときは、当該他のプリンタ複合機のデータ保存手段も入力したデジタル画像データの保存対象とすることを特徴とするものである。
これによって、発明５と同様に、自己のデータ保存手段の保存容量（記憶容量）に限りがあった場合でも、他のデータ保存手段も活用することができるため、大量のデータを保存して利用することが可能となる。
【００５０】
〔発明２９〕また、発明２９の画像データ統合処理方法は、
発明２４〜２８のいずれかに記載の画像データ統合処理方法において、前記画像データ検索手段は、当該プリンタ複合機が他のプリンタ複合機とネットワークを介して接続されているときは、当該他のプリンタ複合機の当該データ保存手段も検索対象とすることを特徴とするものである。
これによって、発明６と同様に、他の画像データ統合処理システムで独自に保存されたデータをも検索することができるため、当該他の画像データ統合処理システムで独自に保存されたデータを自己の画像データ統合処理システムで利用することが可能となり、データの利用範囲を大幅に広げることができる。
【００５１】
〔発明３０〕前記課題を解決するために発明３０の画像データ統合処理システムは、
少なくともアナログ画像読取手段と印刷実行部と画像表示部とを備えたプリンタ複合機に用いられる画像データ統合処理システムであって、記憶媒体に記憶されたデジタル画像データ群を取り込むデジタル画像取込手段と、このデジタル画像取込手段又は前記アナログ画像読取手段で取り込まれた画像データ群ごとに識別符号を付して保存するデータ保存手段と、前記デジタル画像取込手段で取り込まれたデジタル画像データ群ごとに識別符号を付して識別符号付きのサムネイルカードを順次作成するサムネイルカード作成手段と、このサムネイルカード作成手段で作成された複数のサムネイルカードのなかから選択されたサムネイルカードの識別符号を判別してその識別符号と対応するデジタル画像データ群を前記データ保存手段から検索する画像データ検索手段と、この画像データ検索手段で検索されたデジタル画像データ群を前記データ保存手段から読み出してきて前記画像表示部にサムネイル画像として一覧表示するサムネイル画像表示手段と、このサムネイル画像表示手段に表示されたサムネイル画像一覧のなかから任意に選択されたサムネイル画像と対応するデジタル画像データを前記印刷実行部を用いて印刷する印刷処理手段と、を備えたことを特徴とするものである。
【００５２】
すなわち、先ず、デジタル画像取込手段によってデジタルカメラのＩＣメモリーカード等の記憶媒体に記憶されたデジタル画像データ群を取り込んだ後、データ保存手段によってそのデジタル画像データ群ごとに識別符号を付して保存すると共に、サムネイルカード作成手段によって、このようにして取り込まれたデジタル画像データ群ごとに識別符号を付したサムネイルカードを作成する。
【００５３】
これによって、本発明システムを備えたプリンタ複合機を、デジタルカメラ等で撮った画像データのストレージとして機能させることができると共に、その画像データをサムネイル表示したサムネイルカードを作成することができるため、ユーザはこのサムネイルカードをみるだけで、そのプリンタ複合機のストレージに保存された画像の内容を容易に判別・認識することができる。
【００５４】
次に、ユーザはこれらサムネイルカードのなかからお気に入りのサムネイル画像、つまり、そのプリンタ複合機を用いてプリントアウトを望むサムネイル画像が載っているサムネイルカードを選択し、これをアナログ画像読取手段に読み取らせる。
すると、画像データ検索手段がそのサムネイルカードの識別符号を判別してその識別符号と対応するデジタル画像データ群を前記データ保存手段から検索した後、サムネイル画像表示手段がそのデジタル画像データ群を前記データ保存手段から読み出してきて前記画像表示部にサムネイル画像として一覧表示する。
【００５５】
そして、ユーザはこの画像表示部に表示されたサムネイル画像の一覧表示をみて、その中から所望のサムネイル画像を選択すると、印刷処理手段が選択されたサムネイル画像と対応するデジタル画像データを前記印刷実行部を用いて印刷することになる。
これによって、デジタルカメラ等のユーザは、ＰＣ等を用意しなくとも本発明の画像データ統合処理システムを備えたプリンタ複合機だけで保存された任意の画像データを容易に検索し、その画像データから所望の写真を簡単にプリントアウトすることができる。
【００５６】
〔発明３１〕発明３１の画像データ統合処理システムは、
発明３０に記載の画像データ統合システムにおいて、前記アナログ画像読取手段で読み取ったアナログ画像データを前記サムネイルカードのなかから任意に選択されたサムネイル画像データと関連付けて保存するデータ関連付け処理手段をさらに備えたことを特徴とするものである。  
これによって、任意のアナログ画像をデジタル画像データとして、既に保存済みの任意の画像データと関連付けしてそのデータ保存部に保存しておくと共に、その関連付けられたサムネイル画像を読み出すことでこのアナログ画像も同時に読み出すことができるようになっている。
【００５７】
〔発明３２〕発明３２の画像データ統合処理システムは、
発明３０又は３１に記載の画像データ統合システムにおいて、任意に選択された複数のサムネイル画像を所定のテンプレートに従って自動的にレイアウトして印刷するレイアウト手段をさらに備えたことを特徴とするものである。
これによって、サムネイル画像と任意のテンプレートを選択するだけでそのテンプレート通りにレイアウトした状態で一枚の印刷用紙上に印刷することができる。
【００５８】
〔発明３３〕発明３３の画像データ統合処理プログラムは、
少なくともアナログ画像読取手段と印刷実行部と画像表示部とを有するプリンタ複合機のコンピュータを、記憶媒体に記憶されたデジタル画像データ群を取り込むデジタル画像取込手段と、このデジタル画像取込手段又は前記アナログ画像読取手段で取り込まれた画像データ群ごとに識別符号を付して保存するデータ保存手段と、前記デジタル画像取込手段で取り込まれたデジタル画像データ群ごとに識別符号を付して識別符号付きのサムネイルカードを順次作成するサムネイルカード作成手段と、このサムネイルカード作成手段で作成された複数のサムネイルカードのなかから選択されたサムネイルカードの識別符号を判別してその識別符号と対応するデジタル画像データ群を前記データ保存手段から検索する画像データ検索手段と、この画像データ検索手段で検索されたデジタル画像データ群を前記データ保存手段から読み出してきて前記画像表示部にサムネイル画像として一覧表示するサムネイル画像表示手段と、このサムネイル画像表示手段に表示されたサムネイル画像一覧のなかから任意に選択されたサムネイル画像と対応するデジタル画像データを前記印刷実行部を用いて印刷する印刷処理手段と、して機能させることを特徴とするものである。
【００５９】
これによって、発明３０と同様な効果が得られると共に、プリンタ複合機に備え付けのコンピュータシステムを用いて、その機能を発揮することができるため、別個新たな専用のコンピュータシステムを用意したり、専用のハードウェアを用意して実現するケースに比較して容易にその機能を実現することができると同時に、優れた経済性を発揮することができる。
【００６０】
〔発明３４〕発明３４の画像データ統合処理プログラムは、
発明３３に記載の画像データ統合プログラムにおいて、前記プリンタ複合機のコンピュータを、前記アナログ画像読取手段で読み取ったアナログ画像データを前記サムネイルカードのなかから任意に選択されたサムネイル画像データと関連付けて保存するデータ関連付け処理手段としてさらに機能させることを特徴とするものである。
これによって、発明３０と同様な効果が得られると共に、発明３３と同様にプリンタ複合機のコンピュータを利用することができるため、容易かつ経済的にその機能を実現することができる。
【００６１】
〔発明３５〕発明３５の画像データ統合処理プログラムは、
発明３３又は３４に記載の画像データ統合プログラムにおいて、前記プリンタ複合機のコンピュータを、任意に選択された複数のサムネイル画像を所定のテンプレートに従って自動的にレイアウトして印刷するレイアウト手段としてさらに機能させることを特徴とするものである。
これによって、発明３１と同様な効果が得られると共に、発明３３と同様にプリンタ複合機のコンピュータを利用することができるため、容易かつ経済的にその機能を実現することができる。
【００６２】
〔発明３６〕発明３６の画像データ統合処理方法は、
少なくともアナログ画像読取機能と、デジタル画像取込機能と、データ保存機能と、画像表示機能と、印刷機能とを備えたプリンタ複合機を用いた画像データ統合処理方法であって、前記デジタル画像取込機能を用いて取り込まれた記憶媒体に記憶されたデジタル画像のデータ群ごと、又は前記アナログ画像読取機能を用いて読み取られたアナログ画像のデータ群ごとに、それぞれ識別符号を付して前記データ保存機能に保存すると共に、その画像データ群ごとに識別符号付きのサムネイルカードを順次作成し、その後、これら複数枚のサムネイルカードのなかから任意に選択されたサムネイルカードの識別符号を判別してその識別符号で管理された画像データを前記データ保存機能から読み出して前記画像表示機能によってサムネイル画像として一覧表示し、しかる後、表示されたサムネイル画像一覧のなかから任意に選択されたサムネイル画像と対応する画像データを前記データ保存機能から読み出してきて前記印刷機能を用いて印刷を実行するようにしたことを特徴とするものである。
【００６３】
これによって、発明３０と同様に、プリンタ複合機をデジタルカメラ等で撮った画像データのストレージとして機能させることができると共に、その画像データをサムネイル表示したサムネイルカードを作成することができるため、ユーザはこのサムネイルカードをみるだけで、そのプリンタ複合機のストレージに保存された画像の内容を容易に判別・認識することができる。
また、デジタルカメラ等のユーザは、ＰＣ等を用意しなくとも、そのプリンタ複合機だけで保存された任意の画像データを容易に検索し、その画像データから所望の写真を簡単にプリントアウトすることができる。
【００６４】
〔発明３７〕発明３７の画像データ統合処理方法は、
発明３６に記載の画像データ統合処理方法において、任意のアナログ画像を前記アナログ画像読取機能で読み取ってデジタル画像データに変換した後、そのデジタル画像データを前記いずれかのサムネイルカードのなかから任意に選択された１つ又は２つ以上の画像データと関連付けて保存するようにしたことを特徴とするものである。
これによって、発明３１と同様に任意のアナログ画像をデジタル画像データとして、既に保存済みの任意の画像データと関連付けしてそのデータ保存部に保存し、同時に読み出すことができる。
【００６５】
〔発明３８〕発明３８の画像データ統合処理方法は、
発明３６又は３７に記載の画像データ統合処理方法において、任意に選択された複数のサムネイル画像を所定のテンプレートに従って自動的にレイアウトして印刷するようにしたことを特徴とする。
これによって、発明３２と同様にサムネイル画像と任意のテンプレートを選択するだけでそのテンプレート通りにレイアウトした状態で一枚の印刷用紙上に印刷することができる。
【００６６】
〔発明３９〕発明３９の画像データ統合処理方法は、
発明３６〜３８のいずれかに記載の画像データ統合処理方法において、前記任意に選択されたサムネイルカードの識別符号は、そのサムネイルカード上にサムネイル画像と共に印刷された英数字、バーコード、点字、刻印、ＲＦ−ＩＤ、磁気のいずれか、又はこれらを２つ以上組み合わせたものであることを特徴とするものである。
このように、サムネイルカードの識別符号として、サムネイル画像と共に印刷された英数字、バーコード、点字、刻印、ＲＦ−ＩＤ、磁気といった公知の識別手段を利用することで、その符号の識別を確実に行うことができると共に、識別に必要な情報をコンパクトかつ確実に表示することができる。
【００６７】
〔発明４０〕発明４０の画像データ統合処理方法は、
発明３６〜３８のいずれかに記載の画像データ統合処理方法において、前記任意に選択されたサムネイルカードの識別符号の判別は、そのサムネイルカードを前記アナログ画像読取機能部で読み取ることによって行うことを特徴とするものである。
【００６８】
これによって、プリンタ複合機に本来から備え付けのアナログ画像読取機能部を利用して識別符号の判別を行うことができるため、別個に新たに専用の識別符号読取手段を設ける必要がなくなり、製作コストの上昇を抑制することが可能となる。
【発明を実施するための最良の形態】
【００６９】
以下、本発明を実施するための最良の形態を添付図面を参照しながら詳述する。
図１は、本発明に係るプリンタ複合機１００の実施の一形態を示したものである。
図示するように、このプリンタ複合機１００は、アナログ画像入力手段１０と、デジタル画像入力手段１２と、識別符号付与手段１４と、データ保存手段１６と、画像表示媒体作成手段１８と、画像データ検索手段２０と、画像表示手段２２と、印刷手段２４とが、１つの筐体２００に一体的に備えられた構成となっている。
【００７０】
このアナログ画像入力手段１０は、アナログ画像を読み込むアナログ画像読み込み部と、前記アナログ画像読み込み部で読み込んだ前記アナログ画像をデジタル画像に変換するデジタル画像変換部と、変換された前記デジタル画像を取り込むデジタル画像取り込み部とから構成されており、アナログ画像をデジタル画像データとして取得する機能を提供するようになっている。すなわち、印画紙上にプリントアウトされた写真や、普通紙上に文字等を記載した書類、写真や絵が描画（印刷）されたパンフレット、図面等の物理的媒体に記録されたアナログ画像を、ＣＣＤ（Ｃｈａｒｇｅ  Ｃｏｕｐｌｅｄ  Ｄｅｖｉｃｅ：電荷結合素子）や、ＣＭＯＳ（Ｃｏｍｐｌｅｍｅｎｔａｒｙ  Ｍｅｔａｌ  Ｏｘｉｄｅ  Ｓｅｍｉｃｏｎｄｕｃｔｏｒ）等の撮像センサを利用してその表面を光学的に走査（スキャン）し、その反射光や透過光の強度を計り、これをＡＤ（アナログ−デジタル）変換してＲ（赤）、Ｇ（緑）、Ｂ（青）のそれぞれの画素データからなるデジタル画像データとして取得する機能を提供するものであり、従来のプリンタ複合機における、いわゆるスキャナと称されるデバイス部分が相当するようになっている。なお、従来公知のスキャナ方式としては、スキャンしたいものをコンタクトガラス面に置いてスキャンする方式のいわゆるフラットベッド式スキャナと、スキャンしたいものを固定しておいて、この上を小型のスキャナでなぞることでスキャンする方式のいわゆるハンディ式スキャナの２つが代表的であるが、本発明で採用するスキャナは、特にスキャン精度に優れた前者のフラットベッド式のスキャナが好適である。また、以下の実施の形態では、このアナログ画像入力手段１０を便宜的に単に「スキャナ」と称することもある。
【００７１】
デジタル画像入力手段１２は、記憶媒体に記憶されたデジタル画像データ群を取り込む（入力する）機能を提供するものであり、例えば、記憶媒体がデジタルカメラのメモリーカード等の分離可能なものであればこれを挿入してその内容を読み取るメモリースロットや、あるいは記憶媒体がＣＤ−ＲＯＭ、ＤＶＤ等であればこれを読み取るＣＤ、ＤＶＤドライブ、又は記憶媒体から直接ケーブルや無線信号を介してデータを取り込むための入出力インターフェース等から構成されている。また、この記憶媒体としては、これらの他に、ＣＦカード、メモリースティック（登録商標）、ＳＤカード、スマートカード、ｘＤピクチャーカード、ＵＳＢメモリー、ＨＤＤカード等が挙げられる。また、有線・無線ネットワークや赤外線通信、ＲＦ−ＩＤ（Ｒａｄｉｏ  Ｆｒｅｑｕｅｎｃｙ  Ｉｄｅｎｔｉｆｉｃａｔｉｏｎ）等を用いれば、記憶媒体を介せずにデジタル画像データを取り込むことも可能である。
【００７２】
識別符号付与手段１４は、前記アナログ画像入力手段１０及び前記デジタル画像入力手段１２で入力されたデジタル画像データ群ごとに他のデジタル画像データ群と識別するための識別符号（ＩＤ等）を付す機能を提供するものであり、前記アナログ画像入力手段１０で読み取り可能な方式、例えばバーコード等によって読み取り自在に表示されるようになっている。
【００７３】
データ保存手段１６は、この識別符号付与手段１４で識別符号が付与されたデジタル画像データ群を読み出し自在に保存する機能を提供するものであり、具体的には、大容量のデータの記憶、読み出しが可能なハードディスク装置（ＨＤＤ）に代表されるストレージやＤＶＤ−Ｒ、ＤＶＤ−ＲＷ等の大容量の記憶媒体等からなっている。
画像表示媒体作成手段１８は、前記アナログ画像入力手段１０やデジタル画像入力手段１２によって取り込まれたデジタル画像データ群ごとに、画像表示媒体、すなわち、例えば図３に示すような識別符号付きのサムネイルカードＣを自己の印刷手段２４を利用して作成する機能を提供するようになっている。すなわち、この画像表示媒体作成手段１８によって得られるサムネイルカードＣは、図３に示すように、例えば官製はがき大のカード用紙３００の片面あるいは両面に１つのデジタル画像データ群を構成する複数（図３の例にあっては１２個）のサムネイル画像Ｇを任意の配置で並べて印刷すると共に、そのカード用紙３００の一部に識別符号Ｓ（図３の例にあってはバーコード）を印刷処理したものであり、ユーザがこのサムネイルカードＣを手にとって直接目視することで、実際に取り込まれた１つのデジタル画像データ群を構成する個々の画像の概略や日付等の内容を容易に判別できるようになっている。そして、本実施の形態にあっては、このサムネイルカードＣは、デジタル画像データの取り込みと同時に、あるいはその後のユーザが指定する任意のとき等に前記データ保存部１６から読み出してきて作成することができるようになっている。なお、以下の実施の形態では、この画像表示媒体を、便宜的に「サムネイルカードＣ」と称することもある。
【００７４】
画像データ検索手段２０は、この画像表示媒体作成手段１８で作成された複数のサムネイルカードＣのなかからユーザ自身等が任意に選択した特定のサムネイルカードＣの識別符号Ｓを判別してその識別符号Ｓと対応するデジタル画像データ群を前記データ保存手段１２から検索する機能を提供するようになっている。
例えば、選択されたサムネイルカードＣが図３に示すような、バーコード式の識別符号Ｓを用いた場合には、そのサムネイルカードＣを再びスキャナ（アナログ画像入力手段１０）コンタクトガラスＫ面上にセットしてその識別符号Ｓ部分をスキャンするだけで、その識別符号Ｓを瞬時かつ正確に読み取って前記データ保存手段１２に保存された複数のサムネイルカードＣのなかから該当するデジタル画像データ群を瞬時に検索して読み出すことができるようになっている。
【００７５】
なお、このサムネイルカードＣと共に印刷される識別符号Ｓとしては特に限定されるものではないが、上述したようなバーコードの他に、英数字、点字、刻印、ＲＦ−ＩＤ（無線タグ）、磁気といった公知の識別手段を利用することで、その符号の識別を確実に行うことができると共に、識別に必要な情報をコンパクトかつ確実に表示することができる。
従って、識別符号Ｓの判別方法もその識別符号Ｓの種類に応じたものとなり、例えば、英数字であれば、スキャンによる文字認識も可能であるが、テンキーボード等を利用してユーザ自身が直接入力すれば素早い判別が可能となり、また、ＲＦ−ＩＤや磁気であれば専用の判別器等を別途用意する必要があることは勿論である。
【００７６】
画像表示手段２２は、この画像データ検索手段２０で検索されたデジタル画像データ群の各デジタル画像データに対応する画像をモニタ上に一覧表示する機能を提供するものであり、その筐体２００表面のみやすい部分に設置された液晶（ＬＣＤ）モニタ等とこのモニタ上に画像を表示する画像表示回路等からなっている。すなわち、ユーザが選択したサムネイルカードＣに印刷されたサムネイル画像と対応する実際のサムネイル画像をモニタ上に表示してユーザ自身が確認できるようになっている。例えば、ユーザが選択したサムネイルカードＣが図３に示すようなものであれば、そのサムネイルカードＣにサムネイル表示された１〜１２のサムネイル画像と同様なサムネイル画像がモニタ上に表示されることになる。なお、このモニタは、多数の画像をサムネイル表示した際に各画像を容易に区別できるようにできるだけ大きな画面か、あるいはＰＣ用のモニタのようにカラー表示やＶＧＡ表示が可能な高詳細、高画質なものが望ましい。
【００７７】
印刷手段２４は、この画像表示手段２２で表示された画像一覧のなかの特定の画像に対応するデジタル画像データをインクやトナー等を用いて印刷用紙上に印刷して出力する機能を提供するものであり、具体的には、従来のプリンタ複合機の備え付けられているような、印刷制御回路や紙送り機構、インクヘッド、カートリッジ、感光ドラム等の公知の部分から構成されている。そして、例えば、前記画像表示手段２２のモニタにタッチパネル機能を付与し、ユーザがそのモニタにサムネイル表示された任意のサムネイル画像を選択することでそれに対応する画像が印刷された印刷物が得られることになる。
【００７８】
なお、このプリンタ複合機１００には、図示しないＣＰＵやメインメモリー、バス等からなるコンピュータシステムが備えられており、データ保存手段１２のストレージや半導体メモリー等に予め保存された各種制御プログラムによって前記各手段１０，１２，１４，１６，１８，２０，２２，２４の具体的な処理機能がソフトウェア上で実現されるようになっている。
【００７９】
すなわち、このプリンタ複合機１００を実現するためのハードウェア構成は、図２に示すように、各種制御や演算処理を担う中央演算処理装置であるＣＰＵ（Ｃｅｎｔｒａｌ  Ｐｒｏｃｅｓｓｉｎｇ  Ｕｎｉｔ）４０と、主記憶装置（Ｍａｉｎ  Ｓｔｏｒａｇｅ）に用いられるＲＡＭ（Ｒａｎｄｏｍ  Ａｃｃｅｓｓ  Ｍｅｍｏｒｙ）４１と、読み出し専用の記憶装置であるＲＯＭ（Ｒｅａｄ  Ｏｎｌｙ  Ｍｅｍｏｒｙ）４２と、前記アナログ画像入力手段１０に相当するアナログ画像入力機構４３、デジタル画像入力手段１２に相当するデジタル画像入力機構４４と、入出力インターフェース（Ｉ／Ｆ）４６とが、ＰＣＩ（Ｐｅｒｉｐｈｅｒａｌ  Ｃｏｍｐｏｎｅｎｔ  Ｉｎｔｅｒｃｏｎｎｅｃｔ）バスやＩＳＡ（Ｉｎｄｕｓｔｒｉａｌ  Ｓｔａｎｄａｒｄ  Ａｒｃｈｉｔｅｃｔｕｒｅ）バス等からなるプロセッサバス、メモリーバス、システムバス、入出力バス等の各種内外バス４５によって相互に情報通信可能にバス接続されると共に、この入出力インターフェース（Ｉ／Ｆ）４６に、前記画像表示媒体作成手段１８や印刷手段２４に相当する印刷機構４７、ハードディスクドライブ装置（ＨＤＤ）や半導体メモリー等からなる（補助）記憶装置（Ｓｅｃｏｎｄａｒｙ  Ｓｔｏｒａｇｅ：データ保存手段１６）４８、入力装置の１つである操作パネル（画像データ検索手段２０等）４９、及び出力装置の１つである表示部（モニタ（画像表示手段２２））５０を接続したものである。
【００８０】
そして、例えば、ＣＤ−ＲＯＭやＤＶＤ−ＲＯＭ、フレキシブルディスク（ＦＤ）等の記憶媒体を介して供給される各種制御用プログラムやデータを補助記憶装置４８等にインストールすると共にそのプログラムやデータを主記憶装置４１にロードし、その主記憶装置４１にロードされたプログラムに従ってＣＰＵ４０が各種リソースを駆使して所定の制御及び演算処理を行い、その処理結果（処理データ）をバス４７を介してモニタ５０や印刷機構４７に出力して表示したり、入力されたデジタル画像データを記憶装置４８等に適宜記憶、保存（更新）して検索自在に処理するようにしたものである。
【００８１】
また、本発明でいうサムネイルとは、一般のＩＴ用語として通有されているサムネイル（ｔｈｕｍｂｎａｉｌ）と同じ意味であり、１，元の画像データよりもファイルサイズが小さくてスピーディな表示が可能である、２，サムネイル機能を用いることで容易に作成可能である、３，任意に選択されたサムネイル画像から元の画像に対して容易にリンクすることができる、等といった特徴も同様である。
【００８２】
次に、このような構成をした本発明のプリンタ複合機１００を用いた画像データの処理の流れ及び作用・効果、並びにこのプリンタ複合機１００を用いた画像データ統合処理方法について説明する。
先ず、図４は、本発明のプリンタ複合機１００による画像データ処理の最初の段階である、デジタル画像データの取り込み（入力）と、本発明でいう画像表示媒体の１つであるサムネイルカードＣの作成に至るまでの流れを示したフローチャートである。
【００８３】
図示するように、デジタルカメラ等で撮影されたデジタル画像データが、記憶媒体の１つであるメモリーカードに記録されている場合には、最初のステップＳ１００において、そのメモリーカードをプリンタ複合機１００に設けられたデジタル画像入力手段１２の１つであるメモリースロットに差し込んでそのメモリーカードに保存されたデジタル画像データを順に取り込む。
【００８４】
次に、このようにして一群のデジタル画像データが読み込まれたならば、次のステップＳ１０２に移行してこれをそのままデータ保存手段１６によって自己のストレージに保存すると共に、次のステップ１０４に移行して読み込んだデジタル画像データ群に対応する識別符号ＳであるＩＤを生成してからステップＳ１０６に移行し、その後、読み込んだデジタル画像データのサムネイル画像一覧と、生成したＩＤを合成して所定のカード用紙３００上に印刷してサムネイルカードＣを作成する。
【００８５】
そして、このような操作を順に繰り返して、そのメモリーカードに保存されたすべてのデジタル画像データを取り込むと共に、そのデジタル画像データ群の数に対応した複数枚のサムネイルカードＣを作成し、これを適当な場所、例えば、プリンタ複合機１００の筐体２００に新たに設けられた専用のポケットなどに収容しておく。
これによって、プリンタ複合機１００をデジタルカメラ等で撮ったデジタル画像データのストレージとして機能させることができると共に、その画像データをサムネイル表示したサムネイルカードＣを作成することができるため、ユーザはこのサムネイルカードＣをみるだけで、そのプリンタ複合機のストレージに保存された画像の内容を容易に判別・認識することができる。
【００８６】
なお、このサムネイルカードＣにサムネイル表示される画像は、メモリーカード等から直接読み込まれるデジタル画像データに限るものでなく、上述したようにアナログ画像入力手段１０で読み取られてデジタル画像データに変換されて保存されるアナログ画像も対象とすることができることは勿論である。
次に、図５のフローチャートは、このようにしてすべてのデジタル画像データをプリント複合機１００内に取り込むと共に各デジタル画像データ群に対応した複数のサムネイルカードＣが作成された後に、その保存されたデジタル画像データのなかから任意の画像を選択して印画紙上にプリントアウトして印刷物として出力するまでの処理の一例を示したものである。
【００８７】
図示するように、先ず、ユーザが複数枚のサムネイルカードＣのなかから所望の画像がサムネイル表示されたサムネイルカードＣを選択したならば、最初のステップＳ２００及びＳ２０２に示すように、選択したそのサムネイルカードＣをアナログ画像入力手段１０にセットし、そのサムネイル画像と共に印刷された識別符号ＳであるＩＤを読み取らせてそのＩＤを認識させる。
【００８８】
すると、次のステップＳ２０４に移行して、前記画像データ検索手段２０がデータ保存手段１６に保存されたデジタル画像データ群のなかからこのＩＤに対応したデジタル画像データ群を検索する。なお、前述したような構成のプリンタ複合機１００を２台以上ネットワークで接続して利用するようにした形態の場合には、画像データが保存されたプリンタ複合機１００と、サムネイルカードを読み込むプリンタ複合機１００が異なっていても良く、この場合は、ステップＳ２０４のかっこに示すように、印刷されたＩＤには、そのプリンタ複合機１００を特定する情報も同時に記録され、その特定されたプリンタ複合機１００に対してネットワークを介して画像データ群の取得要求を送信することになる。
【００８９】
そして、その後、ステップＳ２０６に移行し、この判断ステップＳ２０６にて、対応するデジタル画像データ群が存在しない（Ｎｏ）と判断されたなら、そのまま、あるいは必要に応じてその旨のメッセージをＬＣＤパネルなどの画像表示手段２２のモニタ等を利用して表示した後、処理を終了することになるが、対応するデジタル画像データ群が存在する（Ｙｅｓ）と判断されたときは、次のステップＳ２０８に移行してそのデジタル画像データ群をＲＡＭ４１上に読み出してきてそのデジタル画像データ群を画像表示手段２２のモニタ上にサムネイル一覧表示すると共に、表示された画像のなかからユーザによる画像の選択を促す。
【００９０】
その後、次の判断ステップＳ２１０において、そのモニタにサムネイル表示されたいずれかのサムネイル画像がユーザによって選択されたか否かを判断し、所定時間選択がなかったと判断したとき（Ｎｏ）はそのまま処理を終了するが、少なくとも１つ以上の選択があったと判断したとき（Ｙｅｓ）は、次のステップＳ２１２に移行し、その選択されたサムネイル画像と対応するデジタル画像データを印刷手段２４を利用してその選択順あるいは所定の順序に従って印刷処理を実行することになる。
【００９１】
これによって、ユーザは、ＰＣ等を用意しなくとも、そのプリンタ複合機１００だけで保存された任意の画像データを容易に検索し、その画像データから所望の写真を簡単にプリントアウトすることができる。
次に、図６は、本発明に係るプリンタ複合機１００の第２の実施の形態を示したものである。
【００９２】
すなわち、本実施の形態に係るプリンタ複合機１００は、図示するように、前記第１の実施の形態で説明したアナログ画像入力手段１０と、デジタル画像入力手段１２と、識別符号付与手段１４と、データ保存手段１６と、画像表示媒体作成手段１８と、画像データ検索手段２０と、画像表示手段２２と、印刷手段２４とに加え、データ関連付け手段２６を同じく１つの筐体２００に一体的に備えたものである。
【００９３】
このデータ関連付け手段２６は、前記アナログ画像入力手段１０で読み取った（入力した）アナログ画像のデータを前記サムネイルカードＣのなかから任意に選択されたいずれかのサムネイル画像データと関連付けて保存する機能を提供するものである。そして、このデータ関連付け手段２６は、任意のアナログ画像をデジタル画像データとして、既に保存済みの任意のデジタル画像データと関連付けして前記データ保存部１６に保存すると共に、その関連付けられたサムネイル画像を読み出すことで、このアナログ画像も同時に読み出すことができるようになっている。
【００９４】
例えば、図７に示すように、「ＳＰＣＡ−００１」というＩＤを付与されたデジタル画像データ群のうち、「Ｂ００１．ｊｐｇ」いう画像ファイルに対して、前記アナログ画像入力手段１０で読み込まれた「Ｐａｍｐｈｌｅｔ．ｊｐｇ」いうアナログ画像のデータが、また、「Ｂ００２．ｊｐｇ」いう画像ファイルに対して「コメント．ｊｐｇ」いうアナログ画像のデータがそれぞれ関連付けられている場合、「Ｂ００３．ｊｐｇ」という画像ファイルが選択された場合には、その画像ファイル「Ｂ００３．ｊｐｇ」のみがプリントアウトされることになるが、「Ｂ００１．ｊｐｇ」いう画像ファイルが選択された場合には「Ｐａｍｐｈｌｅｔ．ｊｐｇ」いう画像が、また、「Ｂ００２．ｊｐｇ」いう画像ファイルが選択された場合には「コメント．ｊｐｇ」いう画像がそれぞれ同時にプリントアウトされることになる。
【００９５】
また、図８も同様であり、「ＳＰＣＢ−００１」というＩＤを付与されたデジタル画像データ群のうち、「Ｙ００３．ｊｐｇ」という画像ファイルを選択すると、「Ｙ００３．ｊｐｇ」のみがプリントアウトされることになるが、「Ｙ００１．ｊｐｇ」、「Ｙ００２．ｊｐｇ」いう画像ファイルを選択すると、「Ｌｅｔｔｅｒ．ｊｐｇ」、「イラスト．ｊｐｇ」という画像がそれぞれ同時にプリントアウトされることになる。
【００９６】
このようにデジタルカメラで撮ったデジタル画像データと、スキャナ（アナログ画像入力手段１０）で取り込んだアナログ画像のデータとを関連付けることによって、例えば旅行に行ったときに、デジタルカメラで撮ったお店や景色の写真と、それに関連するコメントやそのときに手に入れた思いでのパンフレット等をデジタルデータとして関連付けして保存・管理して任意のときに編集・印刷等を自由に実行することが可能となる。
【００９７】
図９は、このような第２の実施の形態の処理の流れを示したものである。
図示するように、先ず、最初のステップＳ３００において、読み込むべきアナログ画像のデータと関連付けしたいサムネイル画像が印刷されたサムネイルカードＣを選択してこのサムネイルカードＣをスキャナ部分で読み込んでから、次のステップＳ３０２に移行し、そのサムネイルカードＣに印刷されたＩＤを認識した後、認識したＩＤに対応するデジタル画像データ群を検索してそれが存在するか否かを判断する（ステップＳ３０４）。
【００９８】
この結果、対応するデジタル画像データ群が存在しない（Ｎｏ）と判断したときは、そのまま処理を終了するが、存在していると判断したとき（Ｙｅｓ）は、ステップＳ３０６側に移行してそのデジタル画像データ群をＬＣＤパネルなどからなる画像表示手段２２のモニタ上にサムネイル一覧表示して、ユーザからの画像の選択を待つ。
そして、次のステップＳ３０８に移行して、対応付ける１つ以上のサムネイル画像が選択されたか否かを判断し、所定時間経過しても選択がなかったと判断した場合（Ｎｏ）にはそのまま処理を終了することになるが、選択があったと判断した場合（Ｙｅｓ）には、次のステップＳ３１０に移行して選択された画像の属性を取得してから次のステップＳ３１２に移行してスキャナでアナログ画像を読み込み、選択された画像の属性値をアナログ画像データの属性値とした設定する。
【００９９】
つまり、例えば、選択されたサムネイル画像が「ｊｐｇ方式」で保存されている場合には、これに関連付けるアナログ画像も同じ「ｊｐｇ方式」で保存することになる。
そして、次のステップＳ３１６において、選択されたサムネイル画像（及び読み込まれた画像データ群）とアナログ画像とを関連付けてそのプリンタ複合機１００のストレージに保存することになる。
【０１００】
なお、このようにして関連付けされて（デジタル画像データとして）保存されたアナログ画像にさらに別のアナログ画像を関連付けして保存するようにすれば、１つのサムネイル画像を選択するだけで、それと関連する複数のアナログ画像を芋づる式に読み出すことも可能となる。また、デジタル画像データとアナログ画像のデータとを関連付け方法としては、本実施の形態のように表データを用いて両データを関連付ける方法の他に、デジタル画像データ内にアナログ画像のＩＤを保存したり、アナログ画像のデータ自体を保存することも考えられる。
【０１０１】
次に、図１０は、本発明に係るプリンタ複合機１００の第３の実施の形態を示したものである。
すなわち、本実施の形態に係るプリンタ複合機１００は、図示するように、前記第１及び第２の実施の形態で用いたアナログ画像入力手段１０と、デジタル画像入力手段１２と、識別符号付与手段１４と、データ保存手段１６と、画像表示媒体作成手段１８と、画像データ検索手段２０と、画像表示手段２２と、印刷手段２４とに加え、レイアウト手段２８を同じく１つの筐体２００に一体的に備えたものである。
【０１０２】
このレイアウト手段２８は、任意に選択された複数のサムネイル画像に相当するデジタル画像データを印刷手段２４によって一枚の印刷用紙上に纏めて印刷するに際し、これらデジタル画像データを所定のテンプレートに従って自動的にレイアウトしてから印刷するようにしたものであり、これによって、サムネイル画像と任意のテンプレートを選択するだけでそのテンプレート通りにレイアウトした状態で一枚の印刷用紙上に印刷することができるようになっている。
【０１０３】
例えば、従来のプリンタ複合機を用いて複数のアナログ画像（写真等）をスキャナのコンタクトガラス上で所定の位置にレイアウトしてから一枚の画像として得る場合には、従来では、図１１に示すように、ユーザがそのスキャナのコンタクトガラスＫ面上で、印刷用紙の大きさを示す用紙枠内に、それぞれの写真を所定の位置に配置しなければならなかった。しかも、アナログ画像に対するスキャニングは、コンタクトガラスＫの下側から行われるため、裏返しの状態でレイアウトを実行しなければならず、レイアウトミスが頻繁に発生する。
【０１０４】
これに対し、前記のようなレイアウト手段１８を備えた本発明のプリンタ複合機１００によれば、予め画像のレイアウトが設定された複数のテンプレートを画像データと共に保存させておき、図１２に示すように、そのうちのいずれかのテンプレートＰと、レイアウト対象となる複数のサムネイル画像Ｇを選択するだけで、そのテンプレートＰのレイアウト通りに画像がレイアウトした印刷物を得ることができる。
【０１０５】
ここで、このテンプレートＰとしては、前記のように予め、いくつかのテンプレートを記憶させておき、そのいずれかを前記操作パネル４９を用いて指定する方法も考えられるが、このテンプレートＰを上述したサムネイルカードＣと同様に、テンプレートＰごとのレイアウトが示されたテンプレートカードを作成し、そのテンプレートカード自体をスキャンして読み取らせることで所定のレイアウトを特定するようにしても良い。
【０１０６】
図１３は、このようなレイアウトを考慮した本実施の形態の処理流れを示すフローチャートである。
図示するように、先ず、最初のステップＳ４００において、モニタ上で複数のサムネイル画像を選択してから、次のステップＳ４０２に移行して任意のテンプレートを選択する。ここで、最初のステップＳ４００において選択される複数のサムネイル画像は、１つのサムネイルカードＣのなかだけから選択しても良いが、複数のサムネイルカードＣから数個ずつ選択するようにしても良い。
【０１０７】
例えば、ある人物の画像データが複数のサムネイルカードＣに亘って管理されている場合には、その人物の画像データだけを選択するようなケースが考えられるからである。
次に、このようにして複数のサムネイル画像とそれをレイアウトすべく任意のテンプレートが選択されたならば、次のステップＳ４０４に移行してそれらに対応するデジタル画像データ及びテンプレートデータの検索を開始し、それらデータのすべてが存在するか否かを判断する。
【０１０８】
なお、この場合、前述したように本発明に係るプリンタ複合機１００と同じような機能を持つプリンタ複合機１００が他にいくつか存在し、それらのプリンタ複合機１００とネットワークを介して相互に情報通信可能であれば、それらのプリンタ複合機１００のデータ保存手段１６も検索対象とする。
そして、この判断ステップＳ４０４において、それらデータのいずれかが存在していないと判断したとき（Ｎｏ）は、そのまま処理を終了することになるが、すべてのデータが存在していると判断したとき（Ｙｅｓ）は、次のステップＳ４０６に移行してそれらすべてのデータを取得して次のステップＳ４０８に移行する。
【０１０９】
ステップＳ４０８では、その後に取得したデジタル画像データが自動的にそのテンプレートＰに合わせてレイアウト処理が行われることから、最後のステップＳ４１０においてレイアウトされた画像を印刷することで複数の画像を所定のレイアウトテンプレートに沿った所望のレイアウトが施された一枚の印刷物が得られることになる。
これによって、レイアウト対象となる複数のサムネイル画像Ｇと共に所定のレイアウトテンプレートＰを選択するだけで、そのテンプレートＰのレイアウト通りに画像がレイアウトした高品質の印刷物を容易に得ることができるため、従来方法のように、レイアウトミスが頻繁に発生するといった不都合を未然に回避することができる。
【０１１０】
図１４〜図１６は、所定のレイアウトテンプレートＰに定義した画像表示枠に合わせてアナログ画像を配置する例を示したものである。
図１４は、レイアウトテンプレートＰの一例と、このレイアウトテンプレートＰで用いられるそれぞれ３００×３００ピクセルの３つのアナログ画像Ａ、Ｂ、Ｃを示したものであり、図１５は、このアナログ画像Ａ、Ｂ、Ｃの表示枠を決定するマスクＭの１つを示したものである。また、図１６は、レイアウトテンプレートＰのレイアウト定義を示したものである。
【０１１１】
従って、これら３つのアナログ画像Ａ、Ｂ、Ｃは、図１６に示すようなレイアウト定義に従ってレイアウトされることになる。
すなわち、図１６に示すように、１つめのアナログ画像Ａは、その矩形枠の左上の角部が、Ｘ軸方向に１０（ｃｍ）、Ｙ方向に２０（ｃｍ）の場所に配置されると共に、縦５（ｃｍ）、横１０（ｃｍ）の大きさに設定され、また、配置する際の回転角は０゜であり、縦横比はオリジナルの状態を保ったままで、かつマスクＭは使用しないことを示している。また、２つめのアナログ画像Ｂは、その矩形枠の左上の角部が、Ｘ軸方向に４０（ｃｍ）、Ｙ方向に５（ｃｍ）の場所に配置されると共に、縦１０（ｃｍ）、横５（ｃｍ）の大きさに設定され、また、配置する際の回転角は９０゜であり、縦横比はオリジナルの状態を変化させて、かつ「ｍａｓｋ２．ｇｉｆ」という種類のマスクＭを使用することを示している。さらに、３つめのアナログ画像Ｃは、その矩形枠の左上の角部が、Ｘ軸方向に１０（ｃｍ）、Ｙ方向に４０（ｃｍ）の場所に配置されると共に、縦１５（ｃｍ）、横１５（ｃｍ）の大きさに設定され、また、配置する際の回転角は０゜であり、縦横比はオリジナルの状態を保ち、かつ「ｍａｓｋ３．ｇｉｆ」という種類のマスクＭを使用することを示している。
【０１１２】
次に、図１７は、本発明の画像データ統合処理システム４００の実施の一形態を示したものである。
すなわち、前記各実施の形態で説明したプリンタ複合機１００の各機能は、それぞれ別個に生産・販売されている専用のデバイスを用いることによって実現可能であるため、本発明の画像データ統合処理システム４００では、各種専用のデバイスを用意し、これら各デバイスをネットワークＮで接続して適宜組み合わせることによって実現するようにしたものである。
【０１１３】
図示するように、この画像データ統合処理システム４００は、アナログ画像データ入力デバイス１００Ａと、印刷デバイス１００Ｂと、画像表示デバイス兼コントロールデバイス１００Ｃと、デジタル画像データ入力デバイス１００Ｄと、これらをネットワークＮを介して管理・制御するサーバ１００Ｅとから構成されている。
このアナログ画像データ入力デバイス１００Ａは、前述したスキャナ等に代表されるようにアナログ画像を読み取ってデジタル画像データとして取得する機能を提供するものであり、前述したようなアナログ画像入力手段１０の他に、利用許可ＩＤ記憶手段３２と、通信手段３０とが備えられた構成となっている。そして、この利用許可ＩＤ記憶手段３２は、機能の提供先となるデバイス又はサーバのＩＤを保持し、そのＩＤを有するデバイス又はサーバからの機能実行の要求を受けてアナログ画像入力手段１０を実行させるような機能を提供するようになっている。また、通信手段３０は、所定の通信プロトコルに従ってネットワークＮを介して本デバイス１００Ａと、他のデバイス又はサーバとの通信機能を提供するようになっている。
【０１１４】
印刷デバイス１００Ｂは、トナーやインクを用いて印刷用紙上に実際に画像を印刷するための印刷機能を提供するものであり、前述したような印刷手段２４の他に、利用許可ＩＤ記憶手段３２と、通信手段３０とが備えられた構成となっている。具体的には、インクジェットプリンタやレーザプリンタ等の汎用の印刷装置から構成されている。そして、この印刷デバイス１００Ｂにも、前記アナログ画像データ入力デバイス１００Ａと同様に、機能の提供先となるデバイス又はサーバのＩＤを保持してその機能を実行させるための利用許可ＩＤ記憶手段３２と、他のデバイス又はサーバとの通信機能を提供するための通信手段３０とが備えられている。
【０１１５】
画像表示デバイス兼コントロールデバイス１００Ｃは、画像ビューア等に代表されるようにデジタル画像データをＬＣＤパネル等からなるモニタ上に表示すると共に、ユーザが前記デバイス及びサーバを操作するための機能を提供するものであり、前述したような画像表示手段２２の他に、図示しない操作パネルが備えられた構成となっている。また、この画像表示デバイス兼コントロールデバイス１００Ｃには、他のデバイス又はサーバとの通信機能を提供するための通信手段３０の他に、機能の提供先となるデバイス又はサーバへの利用許可ＩＤを発行する機能を実行させるための利用許可ＩＤ発行手段３４が備えられている。
【０１１６】
デジタル画像データ入力デバイス１００Ｄには、前述したようなデジタル画像入力手段１２が備えられており、デジタル画像データが収容されているメモリーカードやＣＤ−ＲＯＭ、ＤＶＤ−ＲＯＭ等の記憶媒体を読み取って収容されているデジタル画像データを取り込む（入力する）機能を提供するようになっている。具体的には、その記憶媒体の種類によって異なってくるが、記憶媒体がデジタルカメラ等の着脱自在なメモリーカードであればメモリースロット、記憶媒体がＣＤ−ＲＯＭ、ＤＶＤ−ＲＯＭであれば、ＣＤ−ＲＯＭドライブ、ＤＶＤ−ＲＯＭドライブが相当する。また、デジタル画像データがネットワークＮを介して送られてくる場合は、モデムやＤＳＵなどのデータ回線終端装置（ＤＣＥ：Ｄａｔａ  Ｃｉｒｃｕｉｔ  Ｔｅｒｍｉｎａｔｉｎｇ  Ｅｑｕｉｐｍｅｎｔ）などが相当する。なお、このデジタル画像データ入力デバイス１００Ｄにも、前記アナログ画像データ入力デバイス１００Ａなどと同様に、機能の提供先となるデバイス又はサーバのＩＤを保持してその機能を実行させるための利用許可ＩＤ記憶手段３２と、他のデバイス又はサーバとの通信機能を提供するための通信手段３０とが備えられている。
【０１１７】
そして、これら各デバイスをネットワークＮを介して管理・制御するサーバ１００Ｅには、前述した識別符号付与手段１４と、データ保存手段１６と、画像表示媒体作成手段１８と、画像データ検索手段２０、及び通信手段３０と利用許可ＩＤ記憶手段３２とが備えられており、前述したようにそれぞれの各機能を提供するようになっている。
このような構成をした本発明の画像データ統合処理システム４００における処理は、基本的には、前記プリンタ複合機１００の場合と同様であるが、各デバイス１００Ａ〜Ｄ及びサーバＥがそれぞれ独立してネットワークＮに繋がっているため、これら各デバイス１００Ａ〜Ｄ及びサーバＥを組み合わせて１つの画像データ統合処理システム４００を構築するためには、ネットワーク上でお互いを認識して利用し合うことを具体的に実現する必要がある。
【０１１８】
そのために、本発明では、画像データ統合処理システム４００を構築するデバイスやサーバのまとまりを管理するＩＤ（利用許可ＩＤ）の概念を導入して、各デバイスやサーバがそれぞれ利用許可するＩＤを保持するようにしたものであり、これにより、相手デバイス（サーバ）の機能を利用するときには、利用許可ＩＤ付きで機能要求を行い、保持しているＩＤと一致することを確認した後、各操作を実行するようにしたものである。
【０１１９】
従って、本発明の画像データ統合処理システム４００によって前記プリンタ複合機１００と同様な作用・効果を得るためには、以下の図１８〜図２２に示すように、各デバイス１００Ａ〜Ｄ及びサーバＥの利用許可ＩＤの登録処理とその利用許可ＩＤの更新処理、及び各デバイス１００Ａ〜Ｄ及びサーバＥをコントロールするコントロールデバイスの利用許可取得処理とその利用準備処理とが必要になってくる。
【０１２０】
図１８は、各デバイス１００Ａ〜Ｄ及びサーバＥ側の利用許可ＩＤ登録処理の流れを示したものである。
先ず、各デバイス１００Ａ〜Ｄ及びサーバＥは、最初のステップＳ５００においてネットワークＮを介してコントロールデバイスから利用許可要求を受信したか否かを判断し、受信したと判断したとき（Ｙｅｓ）は、次のステップＳ５０２に移行してその利用許可要求の送信元のコントロールデバイスのＩＤを取得してから次の判断ステップＳ５０４に移行する。
【０１２１】
ステップＳ５０４では、自己がそのシステムに参加する資格ともいえる利用許可ＩＤが既に存在するか否かを判断し、存在していないと判断したとき（Ｎｏ）は、ステップＳ５１０側に移行して利用不許可のメッセージを送信元のコントロールデバイスに返信して処理を終了することになるが、利用許可ＩＤが存在すると判断したとき（Ｙｅｓ）は、ステップＳ５０６側に存在するＩＤを利用許可ＩＤ記憶手段３２に登録してから次のステップＳ５０８に移行して利用許可のメッセージを送信元のコントロールデバイスに返信する。
【０１２２】
一方、最初ステップＳ５００において、利用許可要求を受信しないと判断したとき（Ｎｏ）は、ステップＳ５１２側に移行して機能要求を受信したか否かを判断し、受信していないと判断したとき（Ｎｏ）は、そのまま処理を終了することになるが、機能要求を受信したと判断したとき（Ｙｅｓ）は、次のステップＳ５１４に移行して送信元のコントロールデバイスのＩＤを取得してから次のステップＳ５１６に移行する。
【０１２３】
ステップＳ５１６では、自己が保存している利用許可ＩＤと取得したＩＤとが一致するか否かを判断し、一致していないと判断したとき（Ｎｏ）は、ステップＳ５２２側に移行して機能利用不許可のメッセージを送信元へ返信して処理を終了することになるが、一致していると判断したとき（Ｙｅｓ）は、ステップＳ５１８側に移行して要求された機能を実行してから次のステップＳ５２０に移行し、実行結果を送信元へ返信して処理を終了することになる。
【０１２４】
次に、図１９は、この図１８のフローと並行に動作する各デバイス１００Ａ〜Ｄ及びサーバＥ側の利用許可ＩＤ更新処理の流れを示したものである。
この利用許可ＩＤ更新は、先ず、最初のステップＳ６００において、現在時刻から利用許可ＩＤを登録した時間を差し引いてその期間が規定時間よりも小さいか否かを判断する。例えば、現在時刻が平成１６年４月１日ＰＭ１２時、利用許可ＩＤ登録時間が平成１６年１月１日ＰＭ１２時であって規定時間が９０日（２１６０時間）である場合などである。そして、このステップＳ６００において現在時刻から利用許可ＩＤ登録時間を差し引いた期間が規定時間よりも小さいと判断したとき（Ｙｅｓ）は、そのまま利用許可ＩＤを登録した状態を維持するが、現在時刻から利用許可ＩＤ登録時間を差し引いた期間が規定時間よりも大きいと判断したとき（Ｎｏ）は、次のステップＳ６０２に移行して保存している利用許可ＩＤを削除して処理を終了することになる。これによって、期間を限定して所定のデバイスを活用することが可能となる。
【０１２５】
次に、図２０は、各デバイス１００Ａ〜Ｄ及びサーバＥをコントロール、すなわち、デバイス１００Ａ〜Ｄ及びサーバＥに備え付けられた機能を活用するためのコントロールデバイス（例えば、ＰＤＡ（Ｐｅｒｓｏｎａｌ  Ｄｉｇｉｔａｌ  Ａｓｓｉｓｔａｎｃｅ）など）の利用許可取得処理の流れを示したものである。
先ず、最初のステップＳ７００において、本システムを構築する（利用する）デバイス（サーバも含む、以下同じ）を対して、利用許可要求を利用許可ＩＤと共に送信し、送信したデバイスからの応答を待つ。次に、ステップＳ７０２に移行して送信したデバイスからの応答があるか否かを判断し、応答があったと判断したとき（Ｎｏ）は、次のステップＳ７０４に移行してその応答のあったデバイスから利用許可を受けたか否かを判断する。
【０１２６】
そして、この判断ステップＳ７０４にて、利用許可を受けていないと判断したとき（Ｎｏ）は、そのまま処理を終了することになるが、利用許可を受けたと判断したとき（Ｙｅｓ）は、次のステップＳ７０６に移行してその利用許可を受けるまでに規定時間が経過していないか否かを判断する。
この判断処理の結果、規定時間が経過していないと判断したとき（Ｙｅｓ）は、そのまま待機することになるが、規定時間が経過したと判断したとき（Ｎｏ）は、次のステップＳ７０８側に移行して利用継続フラグが立っているか否かを判断する。
【０１２７】
この判断処理の結果、利用継続フラグが立っていない（Ｎｏ）と判断したときはそのまま処理を終了することになるが、利用継続フラグが立っていると判断したときは、次のステップＳ７１０に移行して利用許可要求を利用許可ＩＤと共にデバイスへ送信して再びステップＳ７０６からの処理繰り返すことになる。これによって、各デバイスごとの利用許可の有無を判断することができる。
【０１２８】
次に、図２１は、図２０と同じく各デバイス１００Ａ〜Ｄ及びサーバＥをコントロール、するためのコントロールデバイスの利用準備処理の流れを示したものである。なお、この図２１のフローの定義枠は、図２０の各デバイスごとの利用許可取得処理の流れを示したものであり、図２１のフローが終了した時点で実行されるようになっている。
図示するように、このコントロールデバイスは、最初のステップＳ８００において新規の利用許可ＩＤを発行し、次のステップＳ８０２、Ｓ８０４に順次に移行してスキャナから利用許可要求を取得したならば、そのスキャナの利用許可フラグを立てる処理を実施する。次に、このコントロールデバイスは、次のステップＳ８０６〜Ｓ８１２において、プリンタ及びデジタル入力デバイスからそれぞれ利用許可要求を取得してプリンタ及びデジタル入力デバイス利用許可フラグを立てる処理を実施する。そして、最後にこのコントロールデバイスは、次のステップＳ８１４、Ｓ８１６において、これらデバイスと同様にサーバから利用許可要求を取得してそのサーバの利用許可フラグを立ててから処理を終了することになる。これによって、本発明の画像データ統合処理システム４００を構築するための各デバイス１００Ａ〜Ｄ及びサーバＥを準備することができる。
【０１２９】
そして、最後の図２２は、このコントロールデバイスによる利用終了処理の流れを示したものであり、ステップＳ９００〜Ｓ９０６においてそれぞれ、本発明の画像データ統合処理システム４００を構築するスキャナ、プリンタ、デジタル入力デバイス、サーバの各利用許可フラグを倒すことで、各デバイスやサーバを解放して他の処理に利用することができる。
【図面の簡単な説明】
【０１３０】
【図１】本発明のプリンタ複合機の第１の実施の形態を示すブロック図である。
【図２】プリンタ複合機のハードウェア構成を示す図である。
【図３】サムネイルカード（画像表示媒体）の一例を示す平面図である。
【図４】サムネイルカードの作成処理の流れを示したフローチャート図である。
【図５】サムネイルカードの読み出しから所定の画像をプリントアウトするまでの処理の流れを示したフローチャート図である。
【図６】本発明のプリンタ複合機の第２の実施の形態を示すブロック図である。
【図７】画像ファイルとそれに関連付けられたアナログデータの例を示す図である。
【図８】画像ファイルとそれに関連付けられたアナログデータの例を示す図である。
【図９】画像ファイルとアナログデータとの関連付けに関する処理を示すフローチャート図である。
【図１０】本発明のプリンタ複合機の第３の実施の形態を示すブロック図である。
【図１１】従来のレイアウト方法の一例を示す説明図である。
【図１２】本発明に係るレイアウト処理結果の一例を示す説明図である。
【図１３】レイアウトテンプレートに沿って印刷物を得るまでの処理を示すフローチャート図である。
【図１４】レイアウトテンプレートの１つと、それにレイアウトされる画像の一例を示した図である。
【図１５】レイアウト処理する際に利用されるマスクの一例を示す図である。
【図１６】図１４のレイアウトテンプレートのレイアウト定義を示す図である。
【図１７】本発明の画像データ統合処理システムの実施の一形態を示す図である。
【図１８】各デバイス（サーバ）の利用許可ＩＤ登録処理の流れを示すフローチャート図である。
【図１９】各デバイス（サーバ）の利用許可ＩＤ更新処理の流れを示すフローチャート図である。
【図２０】コントロールデバイスの利用許可取得処理の流れを示すフローチャート図である。
【図２１】コントロールデバイスの利用準備処理の流れを示すフローチャート図である。
【図２２】コントロールデバイスによる利用終了処理の流れを示す図である。
【符号の説明】
【０１３１】
１０…アナログ画像入力手段、１２…デジタル画像入力手段、１４…識別符号付与手段、１６…データ保存手段、１８…画像表示媒体作成手段、２０…画像データ検索手段、２２…画像表示手段、２４…印刷手段、２６…データ関連付け手段、２８…レイアウト手段、３０…信手段、３２…利用許可ＩＤ記憶手段、３４…利用許可ＩＤ発行手段、４０…ＣＰＵ、４１…ＲＡＭ、４２…ＲＯＭ、４３…アナログ画像入力機構、４４…デジタル画像入力機構、４５…バス、４６…インターフェース、４７…印刷機構、４８…記憶装置、４９…操作パネル、５０…モニタ、１００…プリンタ複合機、１００Ａ…アナログ画像データ入力デバイス、１００Ｂ…印刷デバイス、１００Ｃ…画像表示兼コントロールデバイス、１００Ｄ…デジタル画像データ入力デバイス、１００Ｅ…サーバ、２００…筐体、３００…カード用紙、４００…画像データ統合処理システム、Ｃ…サムネイルカード（画像表示媒体）、Ｇ…サムネイル画像、Ｓ…識別符号、Ｐ…レイアウトテンプレート、Ｎ…ネットワーク。
【図１】
2004320743.tif 000003
【図２】
2004320743.tif 000004
【図３】
2004320743.tif 000005
【図４】
2004320743.tif 000006
【図５】
2004320743.tif 000007
【図６】
2004320743.tif 000008
【図７】
2004320743.tif 000009
【図８】
2004320743.tif 000010
【図９】
2004320743.tif 000011
【図１０】
2004320743.tif 000012
【図１１】
2004320743.tif 000013
【図１２】
2004320743.tif 000014
【図１３】
2004320743.tif 000015
【図１４】
2004320743.tif 000016
【図１５】
2004320743.tif 000017
【図１６】
2004320743.tif 000018
【図１７】
2004320743.tif 000019
【図１８】
2004320743.tif 000020
【図１９】
2004320743.tif 000021
【図２０】
2004320743.tif 000022
【図２１】
2004320743.tif 000023
【図２２】
2004320743.tif 000024